(57)【要約】【課題】  夜間または水中に於いて、または、視力の不良な方に対して、方角の音声放送指示機能を提供する方角偵測及び音声放送指示システムとその装置を提供する。【解決手段】  方角検査測定装置１００は、機電式方角検査測定装置から構成されている。方角信号を音声に転換するディコーダメモリ１０１は、内部に関連ソフトウェアーが含まれ、または、相対音声内容が焼き込まれているメモリチップである。音声拡大駆動回路１０２は、固態電子エレメントから構成されている拡大及び出力駆動回路である。音声出力装置１０３は、電気エネルギーを音声エネルギーに転換する装置である。電源装置１０４は、電気エネルギーを提供する。操作制御装置１０５は、固態エレメント、機電式エレメントまたはチップ及び関連ソフトウェアーから構成されている。【選択図】    図１
2005275589.tif 000002
【特許請求の範囲】
【請求項１】
方角検査測定装置によって方角の偵測を行い、音声の放送指示をもって方角を標示するシステムとその装置であり、
方角検査測定装置（１００）は機電式方角検査測定装置から構成され、機電式方角検査測定装置は球形、半球形またはダイアル状に現れる外殻体があり、Ｎ極及びＳ極があって１８０度の両方向に延伸した構造の永久磁性の磁性針に現れ、軸心に設けられることに供されて永久磁性のある磁性針は軸心に沿って自由に回転し、地球磁場環境によって羅針盤効能の安定定位置を行うことが可能であり、前記ダイアル状のものは自動的に水平の安定態に表れる浮揚式の磁極がある球形に表れて中空の殻体に浮揚し、かつ同じ機能がある方角検査測定装置によって入れ替え可能であり、それの特徴は、指針装置とダイアル状外殻体の方角目盛間または磁性がある球形と中空球形の殻体の方角目盛間には相対位置の光学式、電磁式またはその他の物理性のエンコーダがあり、それによって、方角が相対する方角目盛の物理性エンコーダが転換する方角信号の発信に供され、それが操作制御装置の読み取り指令を受ける場合、読み取り並びに方角信号を音声に転換するディコーダメモリ（１０１）への伝送に供され、転換された音声信号を音声拡大駆動回路（１０２）の拡大を経て音声出力装置（１０３）を駆動して相対方角の音声出力を行い、
方角信号を音声に転換するディコーダメモリ（１０１）は内部に関連ソフトウェアーが含まれ、または、相対音声内容が焼き込まれているメモリチップであり、方角検査測定装置（１００）で方角目盛の物理性エンコーダが転換した方角信号によって入力され、相対する必要音声の出力音声信号に転換し、出力音声信号はアナログ音声信号の出力またはデジタル音声信号をアナログ音声信号に転換してから、更に音声拡大駆動回路１０２に伝送されるものを含み、
音声拡大駆動回路（１０２）は固態電子エレメントから構成されている拡大及び出力駆動回路であり、方角信号を音声に転換するディコーダメモリ（１０１）の音声信号の音量拡大制御を行い、無線周波数もしくは赤外線の無線伝送方式、または、電気エネルギーもしくは光エネルギー伝導の有線伝送方式により、装置の部分構造ユニットが分離式構造に現れる場合は、分離ユニット間の信号伝送を行い、全部が一体構造に現れる場合は、直接音声出力装置（１０３）へ伝送することに供され、
音声出力装置（１０３）は固態電子式または機電式の電気エネルギーを音声エネルギーに転換する装置であり、音声拡大駆動回路（１０２）からの駆動を受けて相対聞き取り可能な音声信号を発出し、無線周波数もしくは赤外線の無線伝送方式、または、電気エネルギーもしくは光エネルギー伝導の有線伝送方式により、方角偵測及び音声放送指示システムとその装置の部分構造ユニットが分離式構造に現れる場合は、分離ユニット間の信号伝送を行い、全部が一体構造に現れる場合は、直接伝送を行うことに供され、
電源装置（１０４）は方角偵測及び音声放送指示システムとその装置の関連回路の電気エネルギーを提供するものであり、独立して方角偵測及び音声放送指示システムとその装置の関連回路の使用に供される携帯式蓄電装置として、一次電池、充放電可能な電池、蓄電キャパシタンス、超キャパシタンスまたは太陽エネルギー電池であってもよく、
操作制御装置（１０５）は固態エレメント、機電式エレメントまたはチップ及び関連ソフトウェアーから構成され、操作制御システム内部の作動または人工操作制御に供され、関連ディスプレー装置及び人工操作の人間と機械の間のインタフェース装置を含むことを特徴とする方角偵測及び音声放送指示システムとその装置。
【請求項２】
操作制御装置は、
必要によって人間と機械の間のインタフェース装置中の電源状態のディスプレーランプ信号、操作スイッチ、押しボタン、スピーカ、イヤーフォン及び方角視覚ディスプレーに関する装置を選択設置可能であり、
必要によってその他装置との結合に供される機器インタフェースを選択設置してその他装置との結合に供され、または、電気エネルギー信号の伝送インタフェースを設置して方角検査測定信号をその他装置に伝送可能であり、
必要によって方角偵測及び音声放送指示システムとその装置と組み合わせられるその他装置として、携帯電話、または望遠鏡、または体に着用される品物及びアクセッサリー、またはその他移動可能な杖、台車、カートを含む器具を選択設置可能であることを特徴とする請求項１記載の方角偵測及び音声放送指示システムとその装置。
【請求項３】
次の方式またはその中の一部方式の操作制御を行うことが可能であり、
操作制御装置から人工読み取り指令で受けた操作制御を即時に相対方角の音声または視覚情報で出力し、
操作制御装置自身が周期的定時出力の指令を発出し、周期的定時に相対方角の音声または視覚の新しい情報を出力し、
上記には情報出力前に安定態識別確認の雑信号防止機能（Debouence）があり、それによって、方角偵測の安定度を確定してから、方角の音声情報または視覚の新しい情報を出力することを特徴とする請求項１記載の方角偵測及び音声放送指示システムとその装置。
【請求項４】
使用環境の需要によって防水機能の構造を付け加えることが可能であり、それによって、ダイバーは水中に於いて音声情報をもって方角の偵測を行うことが可能であることを特徴とする請求項１記載の方角偵測及び音声放送指示システムとその装置。
【請求項５】
直接読み取り可能な目盛り盤及び音声放送表示の両機能を保有し、または、音声放送表示の機能だけを保有可能であることを特徴とする請求項１記載の方角偵測及び音声放送指示システムとその装置。
【請求項６】
一体式に現れ、または、その中の一部構造ユニットより分離式構造にすることが可能であることを特徴とする請求項１記載の方角偵測及び音声放送指示システムとその装置。
【発明の詳細な説明】
【技術分野】
【０００１】
本発明は、方角偵測及び音声放送指示システムとその装置を提供するものである。
【背景技術】
【０００２】
伝統的羅針盤等の方角偵測装置は、夜間または水中に於いて、または、視力の不良な方が使用したら、不便を感じ、一般使用者は進行中に手持ちで行うので不便であり、かつ進行中は往々に即時検視できないので、即時に方角指示の機能を発揮することができない。
【発明の開示】
【発明が解決しようとする課題】
【０００３】
本発明の主な目的は、方角偵測及び音声放送指示システムとその装置を提供するものであり、方角検査測定装置によって方角の偵測を行い、音声をもって標示された方角を放送指示するシステムとその装置を開示し、夜間または水中に於いて、または、視力の不良な方に対して、方角の音声放送指示機能を提供するものである。
【課題を解決するための手段】
【０００４】
本発明は、方角偵測及び音声放送指示システムとその装置を提供するもので、方角検査測定装置によって方角の偵測を行い、音声の放送指示をもって方角を標示するシステムとその装置であり、夜間または水中に於いて、または、視力の不良な方に対して、方角の音声放送指示機能を提供するものである。
【発明を実施するための最良の形態】
【０００５】
図１及び図２に示す如く、本発明の一実施例による方角偵測及び音声放送指示システムとその装置は、方角検査測定装置、方角信号を音声に転換するディコーダメモリ、音声拡大駆動回路、音声出力装置、電源装置及び操作制御装置から構成され、その各構造ユニットは次のものを含む。
【０００６】
方角検査測定装置１００は、機電式方角検査測定装置から構成され、機電式方角検査測定装置は球形、半球形またはダイアル状に現れる外殻体があり、Ｎ極及びＳ極があって１８０度の両方向に延伸した構造の永久磁性の磁性針に現れ、軸心に設けられることに供されて永久磁性のある磁性針は軸心に沿って自由に回転し、地球磁場環境によって羅針盤効能の安定定位置を行うことができるものであり、前記ダイアル状のものは自動的に水平の安定態に表れる浮揚式の磁極がある球形に表れて中空の殻体に浮揚し、かつ同じ機能がある方角検査測定装置によって入れ替わることができ、それの特徴は、指針装置とダイアル状外殻体の方角目盛間（または磁性のある球形と中空球形の殻体の方角目盛間）には相対位置の光学式、電磁式またはその他の物理性のエンコーダがあり、それによって、方角が相対する方角目盛の物理性エンコーダが転換した方角信号の発信に供され、操作制御装置の読み取り指令を受ける場合、読み取り並びに方角信号を音声に転換するディコーダメモリ１０１への伝送に供され、更に転換された音声信号を音声拡大駆動回路１０２の拡大を経て音声出力装置１０３を駆動して相対方角の音声出力を行う。
【０００７】
方角信号を音声に転換するディコーダメモリ１０１は、内部に関連ソフトウェアーが含まれ、または、相対音声内容が焼き込まれているメモリチップであり、方角検査測定装置１００で方角目盛の物理性エンコーダが転換した方角信号によって入力され、相対する必要音声の出力音声信号に転換する。出力音声信号はアナログ音声信号の出力またはデジタル音声信号をアナログ音声信号に転換してから、更に音声拡大駆動回路１０２に伝送されたものを含む。
【０００８】
音声拡大駆動回路１０２は、固態電子エレメントから構成されている拡大及び出力駆動回路であり、方角信号を音声に転換するディコーダメモリ１０１の音声信号の音量拡大制御を行い、無線周波数または赤外線の無線伝送方式、または、電気エネルギーまたは光エネルギー伝導の有線伝送方式により、装置の部分構造ユニットが分離式構造に現れる場合は、分離ユニット間の信号伝送を行い、または、全部が一体構造に現れる場合は、直接音声出力装置１０３へ伝送することに供される。
【０００９】
音声出力装置１０３は、固態電子式または機電式の電気エネルギーを音声エネルギーに転換する装置であり、音声拡大駆動回路１０２からの駆動を受けて相対聞き取り可能な音声信号を発出し、無線周波数または赤外線の無線伝送方式、または、電気エネルギーまたは光エネルギー伝導の有線伝送方式により、方角偵測及び音声放送指示システムとその装置の部分構造ユニットが分離式構造に現れる場合は、分離ユニット間の信号伝送を行い、または、全部が一体構造に現れる場合は、直接伝送を行うことに供される。
【００１０】
電源装置１０４は、方角偵測及び音声放送指示システムとその装置の関連回路の電気エネルギーを提供するものであり、独立して特に方角偵測及び音声放送指示システムとその装置の関連回路の使用に供される携帯式蓄電装置、たとえば、一次電池、充放電可能な電池、蓄電キャパシタンス、超キャパシタンスまたは太陽エネルギー電池でもよい。
【００１１】
操作制御装置１０５は、固態エレメント、機電式エレメントまたはチップ及び関連ソフトウェアーから構成され、操作制御システム内部の作動または人工操作制御に供され、関連ディスプレー装置及び人工操作の人間と機械の間のインタフェース装置を含む。
【００１２】
方角偵測及び音声放送指示システムとその装置の操作制御装置１０５は、更に応用の必要によって次に含む関連装置の選択設置を行うことができる。
１．必要によって人間と機械の間のインタフェース装置中の電源状態のディスプレーランプ信号、操作スイッチ、押しボタン、スピーカ、イヤーフォン及び方角視覚ディスプレーに関する装置を選択設置することができる。
【００１３】
２．必要によってその他装置との結合に供される機器インタフェースを選択設置してその他装置との結合に供され、または、電気エネルギー信号の伝送インタフェースを設置して方角検査測定信号をその他装置に伝送することができる。
【００１４】
３．必要によって方角偵測及び音声放送指示システムとその装置と組み合わせられるその他装置、たとえば携帯電話、または望遠鏡、または体に着用される品物及びアクセッサリー、たとえば眼鏡、またはその他移動可能な杖、及び台車、カートを含む器具を選択設置することができる。
【００１５】
方角偵測及び音声放送指示システムとその装置は、次を含む方式またはその中の一部方式の操作制御を行うことができる。
１．操作制御装置から人工読み取り指令で受けた操作制御を即時に相対方角の音声または視覚情報で出力する。
【００１６】
２．操作制御装置自身が周期的定時出力の指令を発出し、周期的定時に相対方角の音声または視覚の新しい情報を出力する。
３．上記１項及び上記２項には情報出力前に安定態識別確認の雑信号防止機能（Debouence）があり、それによって、方角偵測の安定度を確定してから、方角の音声情報または視覚の新しい情報を出力する。
【００１７】
方角偵測及び音声放送指示システムとその装置は、使用環境の需要によって防水機能の構造を付け加えることができ、それによって、ダイバーは水中に於いて、音声情報をもって方角の偵測を行うことができる。
【００１８】
方角偵測及び音声放送指示システムとその装置は、直接読み取り可能な目盛り盤及び音声放送表示の両機能を保有し、または、音声放送表示の機能だけを保有することができる。
【００１９】
方角偵測及び音声放送指示システムとその装置は、一体式に現れ、または、その中の一部構造ユニットより分離式構造にすることができる。
上記をまとめると、方角偵測及び音声放送指示システムとその装置には音声方角放送機能があって、夜間または水中に於いて、または、視力の不良な方に対して、方角の音声放送指示機能を提供することができ、それの創意は新しく、機能は確実であるので、法に従って特許登録の請求を提出します。
【図面の簡単な説明】
【００２０】
【図１】本発明の一実施例による方角偵測及び音声放送指示システムとその装置を示すブロック図である。
【図２】本発明の一実施例による方角偵測及び音声放送指示システムとその装置の操作のフローチャートを示す図である。
【符号の説明】
【００２１】
１００  方角検査測定装置、１０１  方角信号を音声に転換するディコーダメモリ、１０２  音声拡大駆動回路、１０３  音声出力装置、１０４  電源装置、１０５  操作制御装置
【図１】
2005275589.tif 000003
【図２】
2005275589.tif 000004